【事件の表示】
　平成　７年特許願第　１９３０２号「内視鏡保持装置」拒絶査定不服審判事件〔平成　８年　８月１３日出願公開、特開平　８−２０６０６０〕について、次のとおり審決する。
【結　論】
　本件審判の請求は、成り立たない。
【理　由】
１．本願発明
　本願は、平成７年２月７日の出願であって、その請求項１に係る発明は、平成１６年８月６日付け手続補正書で補正された特許請求の範囲の請求項１に記載された次のとおりのものである。（以下、「本願発明」という。）
　
「【請求項１】
　内視鏡を所望の位置に保持する保持手段と、
　前記保持手段の内部に設けられ内視鏡からの光学像を光電変換する撮像素子と、
　その一部が前記保持手段の内部に配置され前記撮像素子によって得られた電気信号を伝送する信号伝送手段と、
　その一部が前記保持手段の内部に配置され内視鏡に対して照明を供給する照明光伝送手段と、
　前記保持手段の外部に露出した前記信号伝送手段と前記照明光伝送手段との各部位を1本のケーブルに内装することによって結束する結束手段と、
を具備し、前記信号伝送手段と前記照明光伝送手段の1本のケーブルに内装することによって結束手段により結束された部位は、前記保持手段の内部に配置された前記信号伝送手段と前記照明光伝送手段の部位に対して着脱自在であることを特徴とする内視鏡保持装置。」
　
２．刊行物に記載された発明
　前置審査において、平成１６年９月１７日付けで通知した拒絶理由に引用された特開平６−６３００３号公報（以下、「刊行物１」という。）には、図面とともに次の事項が記載されている。
　
ア．「【請求項１】  スコープを所望の位置に保持する保持アームの先端部に前記スコープからの光学像を光電変換する撮像素子を組み込むと共に前記スコープのライトガイドコネクタが着脱自在に嵌合する光結合部を設け、前記撮像素子からの信号ケーブル及び前記光結合部からのライトガイドケーブルを前記保持アーム内に挿通させたことを特徴とするスコープホルダー。」
　
イ．「【０００９】
【実施例】・・・図１及び図２は第１の実施例を示すものである。図中１０は体腔内に挿入される挿入部１０ａと本体部１０ｂとからなるスコープ１０を示し、このスコープ１０の本体部１０ｂの後端面にはイメージガイドコネクタ１７およびライトガイドコネクタ１９が突設されている。また、上記本体部１０ｂの後端面にはイメージガイドコネクタ１７およびライトガイドコネクタ１９が突設されている。また、上記本体部１０ｂの後端部外周には内面にねじ部１１ａを有する接続リング１１が回動可能に設けられている。
【００１０】また、図中Ｓは、手術時に前記スコープ１０を保持するスコープホルダーを示し、このスコープホルダーＳは患者の体腔内に挿入されたスコープ１０を保持する保持アーム７と、この保持アーム７を支持する支柱４とを有している。
【００１１】前記支柱４は手術室の床面に立設されており、その上部にはコネクタ４ａ、４ｂが設けられている。そして、コネクタ４ａにはモニタＴＶ１がＴＶ−ＣＣＵ（テレビカメラコントロールユニット）２およびＴＶカメラケーブル３を介して接続され、コネクタ４ｂには光源５がライトガイドケーブル６を介して接続されている。
【００１２】一方、前記保持アーム７は多関節構造となっており、アーム７ａ，７ｂ，７ｃ，７ｄをボールジョイント８ａ，８ｂ，８ｃで回動可能に連結した構造となっている。スコープホルダー１０の内視鏡像をモニタＴＶ１に映し出すためのＴＶカメラＣが取り付けられている。このＴＶカメラＣは団体撮像素子１２と、この団体撮像素子１２の光電気変換面に光学像を結像させる対物レンズ系１５および上記固体撮像素子１２を駆動するドライバ１４とで構成され、ＴＶカメラＣの先端には円柱状の取付け部Ｊが突設されている。この取付け部Ｊの先端面には前記スコープ１０のイメージガイドコネクタ１７が嵌合する第１の嵌合凹部１８が形成されているとともに、スコープ１０のライトガイドコネクタ１９が嵌合する光結合部としての第２の嵌合凹部２０が形成されている。
【００１３】そして、前記取付け部Ｊの周面には、スコープ１０の接続リング１１が螺合するねじ部９が形成されている。そして、前記取付け部Ｊの周面にはスコープ１０の接続リング１１が螺合するねじ部９が形成されている。
【００１４】前記ＴＶカメラＣには、映像信号を出すためのＴＶカメラケーブル１３の一端が接続されており、このＴＶカメラケーブル１３の他端は保持アーム７内を挿通して支柱４の上部に設けられたコネクタ４ａに接続している。そして、前記第２の嵌合凹部２０の底部にはライトガイドケーブル１６の一端が接続固定されている。このライトガイドケーブル１６の他端は保持アーム７内を挿通して支柱４の上部に設けられたコネクタ４ｂに接続されている。」
　
　また、上記記載事項及び図１を斟酌すると、支柱の上部に設けられたコネクタ４ａ，コネクタ４ｂは、ＴＶ−ＣＣＵに接続するＴＶカメラケーブルと，光源に接続するライトガイドケーブルを着脱可能に接続するものであることは、コネクタの一般的な機能からみて自明な事項であるから、
　
　したがって、刊行物１には、
「スコープを所望の位置に保持する保持アームと、
　前記保持アームの先端部に組み込まれスコープからの光学像を光電変換する撮像素子と、
　その一部が前記保持アームの内部に挿通され前記撮像素子からの電気信号を伝送するＴＶカメラケーブルと、
　その一部が前記保持アームの内部に挿通されスコープに対して照明光を供給するライトガイドケーブルと、
　を具備し、前記保持アームの外部に露出した前記ＴＶカメラケーブルと前記ライトガイドケーブルの部位は、前記保持アームの内部に挿通された前記ＴＶカメラケーブルと前記ライトガイドケーブルの部位に対して着脱自在であるスコープホルダー。」
の発明について記載されている。（以下、「刊行物１発明」という。）　
　
３．対比
　本願発明と刊行物１発明とを対比すると、
　刊行物１発明の「スコープ」、「保持アーム」、「撮像素子」、「ＴＶカメラケーブル」、「ライトガイドケーブル」、「スコープホルダー」は、それぞれ本願発明の「内視鏡」、「保持手段」、「撮像素子」、「信号伝送手段」、「照明光伝送手段」、「内視鏡保持装置」に相当するから、
　両者は、
「内視鏡を所望の位置に保持する保持手段と、
　前記保持手段の内部に設けられ内視鏡からの光学像を光電変換する撮像素子と、
　その一部が前記保持手段の内部に配置され前記撮像素子によって得られた電気信号を伝送する信号伝送手段と、
　その一部が前記保持手段の内部に配置され内視鏡に対して照明を供給する照明光伝送手段と、
　前記保持手段の外部に露出した前記信号伝送手段と前記照明光伝送手段の部位は、前記保持手段の内部に配置された前記信号伝送手段と前記照明光伝送手段の部位に対して着脱自在である内視鏡保持装置。」
である点で一致し、次の点で相違する。 
　
（相違点）
　本願発明は、保持手段の外部に露出した信号伝送手段と照明光伝送手段との各部位を1本のケーブルに内装することによって結束する結束手段を備えているのに対し、刊行物１発明は、このような結束手段を備えていない点。
　
４．判断
　以下、相違点について検討するに、 
　内視鏡に用いる外部に露出したＴＶ用信号ケーブルやライトガイドケーブルなどの複数の接続ケーブルを、ユニバーサルケーブルなどを用いて1本のケーブルに内装することによって結束することは、周知技術［例えば、特開平６−２９６５８９号公報（図１）などを参照。］であり、また、刊行物１，該周知技術は、ともに内視鏡の技術分野に属するものであるから、刊行物１発明における保持手段の外部に露出した信号伝送手段と照明光伝送手段との各部位を、1本のケーブルに内装することによって結束することは、当業者が容易に為し得ることである。 
　よって、本願発明の構成は、刊行物１発明及び上記周知技術に基づき当業者が容易に想到し得たものである。 
　そして、本願明細書に記載の作用効果も、刊行物１発明及び上記周知技術から当業者であれば予測できる範囲のものである。
　
５．むすび
　以上のとおり、本願発明は、刊行物１発明及び周知技術に基づいて当業者が容易に発明をすることができたものと認められるから、特許法第２９条第２項の規定により特許を受けることができない。
　よって、結論のとおり審決する。